(57)【要約】【課題】半身浴では湯面を胸元付近に調節するが、浴槽の深さや入浴者の体格、湯量の違い等があり補助具が必要である。そこで、半身浴がリラックスした楽な姿勢で出来、叉腰掛け台座の高さ調節も簡単に出来る半身浴補助具の提供を目的とする。【解決手段】腰掛け用台座を支柱へ高さ調節可能に装着し、さらに支柱へ固着部、掛け部、当て具等を設け、補助具を浴槽内で安定化させリラックスした半身浴を提供する。図１において、支柱２に台座３と固着部５、掛け部４を装着し、浴槽内壁面へ支柱２を沿うように立て、固着部５と掛け部４とで安定保持する。台座３の装着は、台座の差込用突起７を支柱２の差込用穴６（複数ヶ所形成）に差込み行い、高さ調節はその差込用穴６の位置を選択し決める。肩や首周辺のツボ刺激用に当て具８を装着。台座３の面には凹凸溝９を刻み、ちょっとした下着類の洗濯用とか、その面を上向きに装着すればお尻の刺激用に好適。【選択図】    図１
2005087690.tif 000002
【特許請求の範囲】
【請求項１】
入浴時の腰掛け補助具において、腰掛け用の台座を支柱へ高さ調節可能に装着し、該支柱の浴槽内壁に接する面に固定用の固着部を装着し、且つ該支柱の上端部に浴槽縁へ係止用の掛け部を設けた事を特徴とする入浴補助具。
【請求項２】
請求項１記載の台座を支柱へ高さ調節可能に装着する方法として、差し込み式、嵌め合い式、引っ掛け式の方法にて装着する事を特徴とする請求項１記載の入浴補助具。
【請求項３】
請求項１に記載の支柱の上端部あるいは掛け部の支柱側の端部に、肩や首周辺のツボ刺激用の当て具を装着した事を特徴とする請求項１及び２に記載の入浴補助具。
【請求項４】
腰掛け用の台座の面に凹凸溝を設け、台座面を洗濯板状に加工した事を特徴とした請求項１から３に記載の入浴補助具。
【発明の詳細な説明】
【技術分野】
【０００１】  本発明は、入浴時の腰掛け用の補助具、特に半身浴に適した高さ調節可能な腰掛け式入浴補助具に関するものである。
【背景技術】
【０００２】  従来の入浴時の腰掛け用の補助具、特に半身浴用のものとしては、一般の浴場等で使用の丸形や角形の腰掛イスが汎用されていた。しかし、このタイプのイスは湯中に入れたとき押えていないと浮き上がってきてしまうという不便さがあった。このため重し等を付け浮き上がらないように工夫したものも提案されている（例えば、特許文献２、５、８参照）。さらには、上記イスのようにその都度浴槽に入れたり出したりする必要のない折り畳み式とか引っ掛け係止式等も提案されている（例えば、特許文献１，６，９参照）。ただ、これらは腰掛けの高さ調節が出来ない。そのため、半身浴に適した探さ（一般には胸元程度）で入湯するためにはお湯の量を調節するか、中腰の姿勢を保つ等が必要である。しかし、これも大変不便であり、その解消のため高さ調節が出来るタイプのものも提案されている（例えば、特許文献３，４，７参照）。【０００３】  たしかに特許文献３，４，７のものでは高さ調節できるが、まだ実用性の面で問題が見られる。例えば特許文献３のものは構造が大変複雑で製造コスト高く、その上高さ調節する場合イス全体を上下させる必要があり、叉その調節の都度ボルトを廻し込んで固定する必要があるなど大変やり辛く、特に高齢者や女性には使い難い構造となっている。
特許文献４の場合たしかに高さ調節可能な足が装着されている。しかし、調節方法については具体的記述なく、多分ねじ式による調節と思われるが、湯中での調節は大変使いづらいと想定される。【０００４】  特許文献７では内筒の突起と外筒の溝との摺動嵌合で高さ調節するが、お湯の中で行うためその高さの選択と確認が難しく、叉、外筒を摺動した時内筒もそれにつれて一緒に廻ってしまったり、或いは、腰掛け用の外筒を高い位置にセットした場合、内筒による外筒の支持部が少なくなったり等のため、腰掛けが不安定になるといった問題点がある。さらには、内筒と外筒との間や内筒内面等には水アカやカビ等の心配があり、こまめに両筒を分離し清掃しないと不衛生になるという問題点もある。【０００５】
【特許文献１】実開平０３−２２７８４
【特許文献２】特開平１０−２６２８４９
【特許文献３】特開平１１−３４６９４７
【特許文献４】特開２００１−２３８９３１
【特許文献５】特開２００２−２２３９７３
【特許文献６】特開２００２−２８２１５２
【特許文献７】特開２００２−３００９７９
【特許文献８】特開２００２−３００９８０
【特許文献９】特開２００２−３６０４６１
【発明の開示】
【発明が解決しようとする課題】
【０００６】  最近では半身浴が、高齢者或いは心臓や血圧等の疾患のある人だけでなく健康な人にも、健康浴或いはリラックス浴として普及しはじめている。半身浴の正しい入浴法としては、胸元付近までを３０〜４０分間ほどお湯につかることが勧められている。しかし、湯面を胸元付近とするためには、浴槽の深さや入浴者の体格の違い、湯量の違い等があるため、浴槽内で中腰姿勢となったり或いは洗い場のイスを使ったりする。しかし、中腰姿勢は短時間ならいいが長時間は無理な姿勢であり、またイスを使っても高さ調節出来なければ必ずしも胸元程度の適切な深さになるとはかぎらない。【０００７】  このため、高さ調節ができるタイプのものも、特許文献３、４、７等で提案されている。しかし、これらにも前述の様に構造が複雑で使い難いとか製造コストが高い、或いは不安定、不衛生になり易いといった問題点がある。
そこで本発明では、湯量や入浴者の体格に違いがあっても湯面を入浴者の胸元付近に容易に調節でき、且つ楽な姿勢でのリラックスした半身浴が出来る入浴補助具、即ち、腰掛け台座の高さ調節が簡単に出来て、その上、清掃や水切り等も簡単に出来る極めて衛生的な入浴補助具の提供を目的とするものである。
【課題を解決するための手段】
【０００８】  本発明は、上記課題を、入浴時の腰掛け補助具において、腰掛け用の台座３を支柱２へ高さ調節可能に装着し、その支柱２が浴槽内壁面に接する側に固定用の固着部５を装着し、且つその支柱２の上端部に浴槽縁へ支柱２を係止するための掛け部４を設けた入浴補助具１により解決した。【０００９】  さらに、上述の腰掛け用の台座３を支柱２へ高さ調節可能に装着する方法として、差し込み式、嵌め合い式、引っ掛け式の方法にて装着する事により解決した。【００１０】  さらには、上述の支柱２の上端部あるいは掛け部４の支柱２側の端部に肩や首周辺のツボ刺激用の当て具８を装着する事により、よりリラックスな半身浴が出来るようになった。【００１１】  さらには、腰掛け用の台座３の面に凹凸溝９を設け台座３面を洗濯板状に加工する事により、腰掛け台座として尻部の刺激効果も得られ、一層リラックスした正しい半身浴が出来るようになった。
【発明の効果】
【００１２】  支柱に高さ調節可能な腰掛け台座や固着部、掛け部等を装着し、さらには当て具の装着や台座面の凹凸溝加工等の工夫を行なった結果、次のような効果を有する入浴補助具がえられた。
（１）浴槽内の湯量と湯面、入浴者の体格と座高に違いがあっても、台座の高さを簡単に調整するだけで、いつでも誰でも楽な姿勢で正しい半身浴が出来る。
（２）構造や機構がシンプルであるので取り扱い操作が簡単で、高齢者や女性でも高さ調節等簡単に出来て大変使い易い。また、調節した台座の高さ位置によって腰掛けが不安定になるという事もない。
（３）構造がシンプルであるので製作コストが安価である。
（４）浴槽内への出し入れや支柱への台座の着脱等が簡単であるので、清掃等の日常の手入れもやり易く、水アカやカビ等の心配もなく極めて衛生的である。
（５）支柱あるいは掛け部に当て具を設けたので肩や首周りのツボを刺激でき、さらにリラックスした入浴を楽しむことができる。
（６）台座面に凹凸溝の洗濯板状加工を施した結果、尻部の刺激効果が得られると共に、ちょっとした下着類の洗濯なら洗濯機を使う事なく、この洗濯板状台座を使い手軽に手洗いで洗濯を行う事が出来る。
【発明を実施するための最良の形態】
【００１３】  入浴時の補助具、特に半身浴に適した腰掛け補助具において、浴槽内壁に沿わせて立てた支柱２に腰掛け用台座３を装着し、且つその台座３の位置を湯量や入浴者の体格等に合わせて上下に位置を動かし高さ調節すれば、極めてシンプルな構造で使い易い入浴補助具１が得られることが分かった。【００１４】  ただ、このままでは補助具は倒れたり浮き上がったり沈んだりして不安定であるので、支柱２の浴槽内壁側の背面に固着部５を、また支柱２の上端部に掛け部４を設け、その固着部５で支柱２を浴槽１５の内壁に保持させ、またその掛け部４で支柱２を浴槽１５の縁に係止するようにした結果、倒れたりや浮き上がったり、沈んだりすることなく、十分安定的に固定保持出来るようになった。【００１５】  支柱２としては、その断面形状が四角形や六角形等の平板状や角材状のもの、あるいは円形やだ円形等の丸材状のもの、あるいはこれらの組合せ形状のもので、これを浴槽１５の内壁に沿って立てて使用する。その際、支柱２の浴槽内壁側の面に装着する固着部５としてはプラスチック製の吸盤が好適である。また、支柱２の上端部に設ける掛け部４としては平板状のものが適しており、さらにこの掛け部４の浴槽縁面側へ吸盤を装着すれば係止状態は一層安定化する。【００１６】  台座３としては、平面形状が三角形、四角形、六角形等の多角形状や、丸、だ円等の丸形状、あるいはこれらの組合せ形状をした平板状のもの、あるいは断面形状が円形やだ円形をした丸太状のもの、あるいは、これら平板状や丸太状の組合せ形状のもの等を使用し、支柱２に高さ調節可能に装着する。その高さ調節可能な装着方法としては、支柱２と台座３のどちらか一方に穴や切込み、凹部等を、他方には突起や凸部等を、あるいはこれらに相当する形状部を設け、それらの差し込み（差し込み式）、嵌め合い（嵌め合い式）、引っ掛け（引っ掛け式）により台座３を支柱２へ装着する方法が、構造のシンプルさ、操作の簡明さから極めて優れた方法である事を見出した。【００１７】  支柱２や台座３、掛け部４等の素材としては、お湯への耐水性や耐熱性、腰掛け荷重への耐久性等が必要であり、木やプラスチック、金属、セラミック、あるいはこれらの組合せや複合材等が適している。
以下、実施例にもとづき本発明内容をさらに説明する。
【実施例１】
【００１８】  本実施例は高さ調節を差し込み式で行う入浴補助具に関する実施例である。図１に入浴補助具１の斜視図を、図２にその正面図を、図３に側面図を、図４に背面図を、図５に台座３の斜視図を、図６に浴槽１５での入浴補助具１の使途説明図を示す。【００１９】  支柱２としては、図１〜４に示す様に、その断面形状が四角形の平板状を使用し、これに台座３の高さ調節用の差込用穴６を支柱２の下方域に３ヶ所貫通させ、これにプラスチック製吸盤を固着部５として支柱２の浴槽内壁側の背面２ヶ所に装着し、さらに支柱２の上端部に平板状の掛け部４を設け、その掛け部４の支柱２側の端部に丸い棒状の当て具８を装着した。支柱２、台座３、掛け部４、当て具８共に素材としては木を使用した。【００２０】  台座３としては、図５に示す様に、平面形状が六角形の平板状のものを使用し、その支柱側となる端部に差込用突起７を設ける。この差込用突起７は、これを差込用穴６に差し込んで台座３を支柱２に装着するためのものである。また、図５の（イ）、（ロ）に示す様に、台座３の平板状の面の片側面には凹凸溝９を刻み洗濯板状に加工する。こうした構成の台座３を、図１〜４に示す様に、支柱２の最下段の差込用穴６に、台座３の凹凸溝９の面を下向きに差し込み装着し入浴補助具１を形成した。【００２１】  浴槽１５での入浴補助具１の使用状況を図６に示す。お尻１７を台座３に掛け乗せ、支柱２に背中を当て腰掛けて使用する。半身浴に適した深さの入浴になるように台座３の高さを調節し入浴する。高さ調節は、３ヶ所に設けた差込用穴６の内の入浴者１６に適した位置のものを選び、それに（実施例２）の（Ａ）で説明の要領で差込用突起７を差し込むだけでよいので操作は大変簡単であり、高齢者や女性等でも楽に使用する事が出来る。【００２２】  また、入浴補助具１は全体構造が大変シンプルではあるが、固着部５と掛け部４により浴槽１５の内面に安定して固定保持されているので、安心して入浴を楽しむことが出来る。また、当て具８が肩や首周辺のツボを適度に刺激してくれて、一層リラックスした入浴を楽しむ事が出来る。なお、本実施例では台座３の凹凸溝９の面を下向きに装着したが、入浴中いつでも反転できるので、好きな時に上向きに反転させればお尻１７へも適度な刺激効果が得られ、さらにリラックスした入浴が楽しめる。この凹凸溝９の面はちょっとした下着類の手洗いによる洗濯に手軽に使えるというメリットも有するものである。
【実施例２】
【００２３】  本実施例は、台座３を支柱２に高さ調節可能に装着する時の、差し込み式、嵌め合い式、引っ掛け式の装着方法に関する実施例である。図７は差し込み式の、図８は嵌め合い式の、図９は引っ掛け式の実施例図を示すもので、以下それぞれの高さ調節方法について説明する。
（Ａ）差し込み式【００２４】  本例は、支柱２に穴を、台座３に突起部を設け、その突起部を穴に差し込み装着する例である。
支柱２としては断面形状が四角形の平板状のものを、台座３としては平面形状が四角形の平板状のものを使用。図７の（イ）に支柱２の斜視図を、（ロ）に台座３の斜視図を、（ハ）に台座３を支柱２に装着した図の斜視図を示す。
支柱２に、図７の（イ）に示す様に、台座３を装着するための貫通穴を差込用穴６として設ける。この差込用穴６の位置によって台座３の高さは決まってくるので、支柱２の下方域に複数ヶ所（本実施例では２ヶ所、以下嵌め合い式、引っ掛け式とも本実施例では２ヶ所）設ける。【００２５】  一方、台座３の方には、図７の（ロ）に示す様に、差込用穴６に差し込み装着するための差込用突起７を設ける。この差込用突起７を差込用穴６に差し込み、図７の（ハ）に示す様に装着する。正しい姿勢で半身浴が出来るように適切な位置の差込用穴６を選び、それに台座３を差し込み装着する。（ハ）では下段に装着しているが、上段の差込用穴６に変更する時は、差込用突起７を下段の差込用穴６から引き抜き、その後あらためて上段の差込用穴６に差し込んで装着する。
（Ｂ）嵌め合い式【００２６】  本例は、支柱２に切込みを、台座３にそれに嵌合するための形状をした切り出し部を設け、その切り出し部を切込み部に嵌め合せ装着する例である。
支柱２としては断面形状が四角形の角材状のものを、台座３としては平面形状が四角形の平板状のものを使用。図８の（イ）に支柱２の斜視図を、（ロ）にその側面図を、（ハ）に台座３の斜視図を、（ニ）に台座３を支柱２に装着した図の斜視図を、（ホ）にその平面図を示す。【００２７】  支柱２に台座３を装着するための切込みを、嵌め合い用切込み１０として、支柱２の浴槽内壁面側に、図８の（イ）、（ロ）に示す様に設ける。台座３の方には、図８の（ハ）に示す様に、支柱２の断面の四角形より少し大きめの穴を支柱用穴１１として貫通させる。その際、その支柱用穴１１の浴槽内壁面側の部位を、図８の（ハ）に示す様に、嵌め合い用縁部１２として形成しておく。台座３を支柱２に装着する時は、この嵌め合い用縁部１２を嵌め合い用切込み１０に押し込み嵌め合わせて装着する。そのため、嵌め合い用切込み１０の大きさは、嵌め合い用縁部１２の厚みや幅に合わせ形成するが、それより少し大きめに切込んでおく。【００２８】  なお、図８の（ニ）、（ホ）では、台座３は下段の嵌め合い用切込み１０に装着しているが、上段の位置に移動装着する際には、同図で台座３を手前側から奥の方（浴槽内壁面の方）へ押し、嵌め合い用切込み１０から嵌め合い用縁部１２を押し出し、両者の嵌め合いを外す。そうすると、支柱２は支柱用穴１１の中に納まり、その支柱用穴１１の中を上下に自由に移動可能な状態となる。そうした状態で台座３を上段の嵌め合い用切込み１０の位置まで移動し、そこで台座３を手前の方へ引いて嵌め合い用切込み１０と嵌め合い用縁部１２とを嵌め合わせ装着する。
（Ｃ）引っ掛け式【００２９】  本例は、支柱２に凹部を、台座３に凸部を設け、凸部を凹部に引っ掛け装着する例である。
支柱２としては断面形状が四角形の平板状のものを、台座３としては平面形状が四角形の平板状のものを使用。図９の（イ）に支柱２の正面図を、（ロ）にその側面図を、（ハ）に台座３の側面図を、（ニ）に支柱２と台座３との装着組立ての斜視図を示す。【００３０】  本実施例は引っ掛けて装着する方法であるので、図９の（イ）、（ロ）、（ハ）に示す様に、支柱２の方にはその浴槽内壁面と反対面に引掛け用受け部１３を設け、台座３の方にはその下面先端部に引掛け用突部１４を設け、その引掛け用突部１４を引掛け用受け部１３に引っ掛けて図９の（ニ）の様に装着する。台座３を高い位置に変更するときは、下段の引掛け用受け部１３から引掛け用突部１４を外した後、上方の引掛け用受け部１３へ台座３の引掛け用突部１４をあらためて引っ掛けて係止し装着する。
【実施例３】
【００３１】  本実施例は、高さ調節を嵌め合い式で行う入浴補助具１に関する実施例である。図１０の（イ）に嵌め合い式の入浴補助具１の斜視図を、（ロ）にその側面図を、（ハ）に台座３の斜視図を示す。なお、支柱２、台座３、掛け部４共に硬質プラスチックを使用した。
支柱２としては、図１０の（イ）、（ロ）に示す様に、断面形状が四角形の平板状のものとだ円形の丸材状のものの組合せ形状のものを使用し、だ円形の面が入浴者の背中側となるように、平板状の面が浴槽内壁面側となるように組合わせた。【００３２】  この支柱２に、台座３の高さ調節用の嵌め合い用切込み１０を３ヶ所、浴槽内壁面側に切込んで設け、さらに、掛け部４と固着部５とを装着した。また、その支柱２の上端部には当て具８も装着した。当て具８としては木製球体を２ヶ並べて装着した。なお、当て具８としては、実施例１の丸棒状や本実施例の球体で例示したものの他にも、首や肩周辺のツボ刺激に有効なものであれば、だ円形物、ビー玉等の小球類、その他の突起状物等も使用できる。その当て具８の装着位置としては、本実施例に示す支柱２の上端部、あるいは実施例１に示した掛け部４の支柱２側の端部が、ツボ刺激の効果面から適切な位置である。固着部５としてはプラスチック製の吸盤を２ヶ所に装着使用した。【００３３】  台座３としては、図１０の（ハ）に示す様に、平面形状が四角形の平板状のものと、断面形状が円形の丸太状のものとの組合せ形状のものを使用し、それに支柱用穴１１と嵌め合い用縁部１２とを設けた。その際丸太状のものは、嵌め合い用縁部１２とは反対側の端部に位置するように組合わせた。支柱２とのセットは、支柱用穴１１に支柱２を差し込んだ後、嵌め合い用切込み１０に嵌め合い用縁部１２を押し込み装着する。高さ調節は実施例２の（Ｂ）で説明の要領で台座３を動かし行う。【００３４】  本実施例の入浴補助具１の使用法は実施例１と同様であり、使い方、高さ調節等分かり易く簡単であり、実施例１同様快適な半身浴を楽しむことが出来る。
なお、本実施例では支柱２にだ円形の丸材状のものを組合せ使用しているが、それが入浴者１６の背中の部分に当りマッサージ効果が得られ快適である。また、台座３に丸太状のものを組合せ使用しているが、入浴者１６が腰掛けた時にお尻が台座３から滑ったりしない役目をすると共に、台座３の高さ調節時に台座が握り易いという効果もある。さらには、支柱と台座とに丸味が加わりデザイン面でもよくなった。
【図面の簡単な説明】
【００３５】
【図１】差し込み式入浴補助具の斜視図
【図２】差し込み式入浴補助具の正面図
【図３】差し込み式入浴補助具の側面図
【図４】差し込み式入浴補助具の背面図
【図５】凹凸溝加工をした台座の斜視図
【図６】浴槽での入浴補助具の使途説明図
【図７】差し込み式の支柱と台座、及びその装着図
【図８】嵌め合い式の支柱と台座、及びその装着図
【図９】引っ掛け式の支柱と台座、及びその装着図
【図１０】嵌め合い式入浴補助具
【符号の説明】
【００３６】          １、入浴補助具
２、支柱
３、台座
４、掛け部
５、固着部
６、差込用穴
７、差込用突起
８、当て具
９、凹凸溝
１０、嵌め合い用切込み
１１、支柱用穴
１２、嵌め合い用縁部
１３、引掛け用受け部
１４、引掛け用突部
１５、浴槽
１６、入浴者
１７、お尻
１８、湯面
【図１】
2005087690.tif 000003
【図２】
2005087690.tif 000004
【図３】
2005087690.tif 000005
【図４】
2005087690.tif 000006
【図５】
2005087690.tif 000007
【図６】
2005087690.tif 000008
【図７】
2005087690.tif 000009
【図８】
2005087690.tif 000010
【図９】
2005087690.tif 000011
【図１０】
2005087690.tif 000012